(57)【特許請求の範囲】
【請求項１】
データバスに結合され、前記データバス上のデータにより制御される第１の同期信号発生器（ＩＣ１００）と、
インダクタンスに結合された増幅器であって、前記インダクタンス内に電流を生成する増幅器と、
前記データバスに制御可能に結合されていない第２の同期信号発生器と、
前記第１の同期信号発生器に結合され、前記第１の同期信号発生器からのディジタル的に制御された信号に応答する、前記第２の同期信号発生器を制御する制御手段と、を具備し、
前記第２の同期信号発生器の出力信号は、前記増幅器に結合されて、前記ディジタル的に制御された信号に応答して前記インダクタンス内に同期電流を生成する、
データバスを介してマイクロコンピュータ制御手段を有するビデオ表示装置。
【請求項２】
データバスにより制御され、２つのデータバス制御条件を示す信号を発生する第１の同期信号発生器（ＩＣ１００）と、
前記データバスによって制御されることなく、出力信号を発生する第２の同期信号発生器と、
前記データバス制御条件を示す信号に応答し、前記第２の同期信号発生器に結合されて前記制御条件に応答して前記出力信号の発生を制御する制御手段と、
前記データバス制御条件を示す信号に応答して、インダクタンス内に同期電流を生成するために前記出力信号が供給される、インダクタンスに結合された増幅器と、を具備する、
データバスを介してマイクロコンピュータ制御手段を有するビデオ表示装置。
【発明の詳細な説明】
【０００１】
【産業上の利用分野】
この発明は、ビデオ表示装置に関し、詳しくは非バス（ｎｏｎ−ｂｕｓ）制御可能な表示サブシステムにおいてマイクロコンピュータによる制御手段を設けることに関するものである。
【発明の背景】
【０００２】
現在のＮＴＳＣ方式の受像機は、設計上、データバスを介して異なる受像機サブシステムとの通信を行うマイクロコンピュータにより制御される。特別なＮＴＳＣ方式受像機では、ＮＴＳＣ標準方式以外の同期標準方式に従う信号をも表示するように部分変更して設計されている。コストと製造面から考えると、ＮＴＳＣ方式受像機の基本構造に加える変更を最小限に止めて、上記のような複数の標準方式に適合した（以下、複数標準型と略称する）ビデオ（映像）表示装置を構成することが要求される。
【０００３】
現在のＮＴＳＣ方式受像機には、ＮＴＳＣ方式テレビジョン（ＴＶ）受像機中に必要なサブシステムの大部分を構成する多機能集積回路が含まれている。そのようなサブシステムには、例えば、中間周波（ＩＦ）増幅、ビデオ復調、クロミナンス復調および復号、オーディオ復調、同期信号分離およびパルスと波形生成等の諸システムが含まれている。その集積回路中の複数のサブシステムはデータバスを介してマイクロコンピュータにより制御されている。従って、ＮＴＳＣ同期標準方式に従う表示信号以外の表示信号を処理できるようにする為には、複数標準型回路は、設計上、既存のデータバスおよびマイクロコンピュータのシステムにより制御可能でなければならない。さらに、複数標準型の回路は、設計上、信号抽出用の既存の集積回路（ＩＣ）サブシステムとのインターフェースをとれるようにし、また、現在の受像機のビデオおよび同期のシステムに再挿入するための互換性のある出力信号を生成しなければならない。しかしながら、コストと装置上の制約（ａｖａｉｌａｂｉｌｉｔｙ）から、別のバス制御可能な複数標準型の集積回路を用いることができない。従って、複数標準型の設計に対する別の要求として、追加のデータバス制御装置を用いることなくマイクロコンピュータによる制御を行い得るようにすることが必要になる。
【０００４】
【発明の概要】
この発明によるビデオ表示装置は、データバスを介してマイクロコンピュータ制御手段を有し、バス上のデータにより制御を行うために、このデータバスに結合された第１の同期発生器を具えている。また、第２の同期発生器があるが、これは上記データバスに制御可能に結合されることがない。さらに、インダクタンスに結合された増幅器があって、そのインダクタンス中に電流を生成する。第２の同期発生器を制御する手段が第１の同期発生器に結合されていて、第１の同期発生器からのディジタル制御された信号に応答する。第２の同期発生装置の出力信号は、上記の増幅器に結合され、ディジタル制御された信号に応答して電流を発生させる。
請求の範囲と実施例との対応関係を図面で使われている参照符号で示すと次の通りである。
（請求項１）  データバス（２５０）に結合され、前記データバス上のデータにより制御される第１の同期信号発生器（ＩＣ１００）と、
インダクタンスに結合された増幅器であって、前記インダクタンス内に電流を生成する増幅器（６００）と、
前記データバス（２５０）に制御可能に結合されていない第２の同期信号発生器（４５０）と、
前記第１の同期信号発生器（ＩＣ１００）に結合され、前記第１の同期信号発生器（ＩＣ１００）からのディジタル的に制御された信号に応答する、前記第２の同期信号発生器（４５０）を制御する制御手段（５００）と、を具備し、
前記第２の同期信号発生器（４５０）の出力信号（ＨＤ）は、前記増幅器（６００）に結合されて、前記ディジタル的に制御された信号（ＣＨＤ）に応答して前記インダクタンス内に同期電流を生成する、
データバス（２５０）を介してマイクロコンピュータ（２００）制御手段を有するビデオ表示装置。
（請求項２）  データバス（２５０）により制御され、２つのデータバス制御条件を示す信号（ＣＨＤ）を発生する第１の同期信号発生器（ＩＣ１００）と、
前記データバス（２５０）によって制御されることなく、出力信号（ＨＤ）を発生する第２の同期信号発生器（４５０）と、
前記データバス制御条件を示す信号（ＣＨＤ）に応答し、また、前記第２の同期信号発生器（４５０）に結合されて前記制御条件に応答して前記出力信号（ＨＤ）の発生を制御する制御手段（５００）と、
前記データバス制御条件を示す信号（ＣＨＤ）に応答して、インダクタンス内に同期電流を生成するために前記出力信号（ＨＤ）が供給される、インダクタンスに結合された増幅器（６００）と、を具備する、
データバス（２５０）を介してマイクロコンピュータ（２００）制御手段を有するビデオ表示装置。
【０００５】
【実施例】
図１は、データバス２５０を介して種々のサブシステムの制御を行う、マイクロコンピュータ２００を用いたテレビジョン受像機のブロック図である。データバス２５０は、無線（ＲＦ）チューナ（同調器）２２０と、多機能ＮＴＳＣ方式テレビジョン受像機の集積回路（ＩＣ）１００とに接続されている。集積回路１００は、中間周波（ＩＦ）増幅、ビデオ復調器１０１、ビデオ源選択スイッチ１０４、クロミナンス復調および復号、オーディオ復調、同期信号分離器１０５、およびパルスおよび波形発生（１１０−１２０）、等の受像機サブシステムを含んでいる。図１において、集積回路１００は、その中に複数の回路機能の中の幾つかの回路機能を含むように描かれている。マイクロコンピュータ２００からのデータにより具体的回路機能が制御されることを示すために、データバス２５０は、例示的に、集積回路１００の内部にまで延びているように示されている。
【０００６】
集積回路１００は表示すべきビデオの選択を可能にする選択スイッチ１０４を含んでいる。この選択は、リモートコントロール・ユニット（遠隔制御装置）２１０からマイクロコンピュータ２００へ伝送され、次いでデータバス２５０を介して集積回路１００に伝送されるコマンド（指令）により行われる。ビデオは、ベースバンド・ビデオ入力信号の形式で受像機の外部から入来するか、または、無線（ＲＦ）チューナ２２０により受信され、中間周波（ＩＦ）信号として入力され、復調器１０１により復調される。選択されたビデオ源は同期信号分離器１０５に接続され、そこで、選択されたビデオ信号から同期パルスが分離される。分離された垂直同期信号は同期信号発生器１１０に結合される。また分離された水平同期信号は発振器１１２の周波数を制御する位相検出器（ＰＤ）１１１に結合される。この発振器１１２の信号は、除算器（分周器）１１３により３２（除数）で除算され、水平周波数（レート）信号を発生し、この水平周波数信号は位相検出器１１１に供給される。また、この水平周波数信号は水平偏向増幅器６００からのリトレース（帰線）信号ＲＴと共に、移相器（ＰＳ）１１６に供給される。この移相器の出力により、水平駆動信号発生器（ＣＨＤ）１１７の水平位相が決定される。複数標準型への変更を行う前には、水平駆動信号発生器１１７からの出力信号ＣＨＤは水平偏向増幅器６００およびスイッチングモード動作電源(switch mode run power supply)６５０に結合されている。同様に、複数標準型への変更を行う前には、垂直偏向信号が発生されて、垂直偏向増幅器７００に結合されている。その他の種々の他の補正波形信号は、ロックされた発振器１１２および同期信号発生器１１０から発生する。垂直周波数鋸歯状波形信号は垂直信号発生器（ＶＥＲＴ）１１４より発生し、二乗回路１１５（ＳＱＵ）に結合される。二乗回路１１５は数学的二乗機能を実行し、これにより垂直周波数鋸歯状波形信号をパラボラ波形（放物線波形）信号に変換する。このパラボラ信号は、次に制御用のパラボラ信号増幅器（ＰＡＲＡＢ）１２０に結合される。
【０００７】
複数の標準方式の動作は、コネクタＪ１を介してシャーシと集積回路１００に結合されているモジュール４００の回路を使用することにより行われる。集積回路１００により発生した種々の複数の信号は途中で取り出され（ｉｎｔｅｒｃｅｐｔ）てコネクタＪ１に結合される。同様に、複数の標準方式用の偏向信号は、モジュール４００の回路により発生し、コネクタＪ１を介して本体シャーシに戻される。モジュール４００は、同期パルス発生器４５０と、垂直偏向波形発生器４１０と、本発明に係わる同期信号発生制御回路５００とを具備する。モジュール４００については、図２および図３を参照して詳細に後述する。
【０００８】
マイクロコンピュータ２００は、双方向データバス２５０を介してデータの受信および伝送を行い、さらに、リモートコントロール・ユニット（受信器）２１０から制御データを受信する。従って、受像機の設定（ｓｅｔｕｐ）とユーザの操作制御の全ては、仮想的に（ｖｉｒｔｕａｌｌｙ）マイクロコンピュータ２００と双方向データバス２５０を介して行われる。例えば、ユーザはリモートコントロール・ユニット２１０を用いて受像機を付勢することができ、つまり、受像機はスタンバイ低消費電力状態から動作状態に切換えられる。パワー・オンのコマンドはマイクロコンピュータ２００により受信されて、処理され、データバス２５０を介して集積回路１００に伝送される。このパワー・オンの命令によって集積回路１００内の発振器１１２が動作を開始し、短い安定化期間の後、その出力は除算器１１３によりカウントダウン（減数）されて、同期信号発生器と協同して水平駆動信号および垂直偏向信号を生成する。前述したように、複数標準型への変更を行う前は、水平駆動信号は水平偏向増幅器６００に結合されている。水平偏向増幅器６００は、水平駆動信号が存在しない場合は、ターンオフ状態となるＣ級状態にバイアスされていると考えることができる。従って、集積回路１００からの水平駆動信号が発生すると、水平偏向増幅器６００は、偏向電流とスイッチングモード動作電源６５０用のスイッチング電流の導通および発生を行う。スイッチングモード動作電源６５０には通常の水平フライバックトランスが含まれてると考えてよい。このようにして、動作電源６５０が起動して、受像機全体を作動させるための種々の給電用の電力を生成する。
【０００９】
上記の動作電源は、水平偏向増幅器６００に結合された水平駆動信号の終了により遮断（ｓｈｕｔ  ｄｏｗｎ）される。動作電源の遮断は、例えば、ユーザが決定したオフのコマンド、対Ｘ線保護用の遮断、またはマイクロコンピュータが決定した電源オンのリセット、の３種類の別々の条件のいずれかに応答したものである。これらのコマンドは、マイクロコンピュータ２００からデータバス２５０を介して集積回路１００へと伝送され、このＩＣ１００において、コマンドの受信、復号および実行が行われる。上述の通り、水平偏向増幅器６００はＣ級モードで動作する。しかし、単に水平駆動信号を停止すると、結果的に増幅器が破壊されることがある。そこで、上記した３種類の要因に基づくデータバス遮断コマンドに応答して、水平偏向増幅器６００に結合される水平駆動信号が、正の電位を呈するようにする。この水平駆動の停止と正の電位とにより、偏向増幅器の非破壊的ターンオフとそれに伴う動作電源発生の停止を確実に行って、受像機をスタンバイの状態にすることができる。
【００１０】
先に説明したように、集積回路１００の垂直信号発生器１１４と制御された水平駆動信号（ｃｏｎｔｒｏｌｌｅｄ  ｈｏｒｉｚｏｎｔａｌ  ｄｒｉｖｅ：ＣＨＤ）発生器１１７により発生される垂直および水平駆動信号は、受像機の複数標準型動作には使用されない。また、異なる標準方式に適した水平駆動信号を発生する、複数標準型の同期パルス発生器４５０は、水平駆動信号発生器１１７により発生される制御された水平駆動信号ＣＨＤをエミュレート（ｅｍｕｌａｔｅ）しなければならない。従って、同期パルス発生器４５０は、マイクロコンピュータ２００より発生してデータバス伝送（通信）されたコマンドに応答して動作しなければならない。しかしながら、コストと装置上の制約から、バス制御される複数標準型の同期パルス発生器を用いることはできない。
【００１１】
図２は、電子回路図式の垂直偏向波形発生器４１０の回路を示す。ランプ信号の発生は、選択可能な定電流源ＣＳ５０，ＣＳ６０によりコンデンサＣ４，Ｃ５を充電することにより行われる。図３に示すような垂直周波数検出器４５５に応答して、制御信号５０／６０モード論理回路４５６により発生した制御信号により、適切な定電流源が選択される。コンデンサＣ４とＣ５の両端間に形成されるランプ信号は、集積回路ＩＣ  Ｕ２内のバッファ増幅器（緩衝増幅器）１５およびリセットスイッチ４６０に結合される。４６０のリセットスイッチは、選択されたビデオ信号から図３の同期信号分離器（ＳＹＮＣ  ＳＥＰ）４５４により導出した垂直周波数信号により駆動される。このようにして、垂直リセットスイッチ４６０は急速にコンデンサＣ４，Ｃ５を放電させ、分離された垂直同期信号と同じ周波数を有するランプ信号を形成する。このランプ信号は、バッファ増幅器１５からラスタの垂直方向サイズ（大きさ）を決定する振幅制御回路網へと結合される。サイズ制御器Ｒ１１のワイパは、コンデンサＣ６を介して電圧フォロワ（ｖｏｌｔａｇｅ  ｆｏｌｌｏｗｅｒ）構成の増幅器Ｕ１Ｂの非反転入力に交流（ＡＣ）結合されている。ラスタの垂直方向センタリングは、増幅器Ｕ１Ｂの非反転入力に接続されているポテンシオメータＲ１２からのＤＣ電位により調整される。増幅器Ｕ１Ｂからの出力ランプ信号はコネクタＪ１を介して本体シャーシに戻され、垂直偏向増幅器７００に結合される。また、Ｕ２内のバッファ増幅器１５からのランプ信号は抵抗Ｒ７を介してフィードバック（帰還）され、直線化成分（ｌｉｎｅａｒｉｚｉｎｇ  ｃｏｍｐｏｎｅｎｔ）を発生して交流結合コンデンサＣ６の微分作用を補正する。積分して得られた垂直周波数のパラボラ波形信号がランプ・コンデンサＣ４とＣ５の接続点に結合されていて、垂直ランプ信号は、このパラボラ波形信号によりＳ字補正される。パラボラ波形信号は、増幅器Ｕ１Ａにより増幅され、抵抗Ｒ６とコンデンサＣ４，Ｃ５の組合わせとにより形成される積分器を介して結合されている。この垂直周波数パラボラ波形信号は、図１では、集積回路１００の二乗回路１１５とパラボラ増幅器１２０により発生する。パラボラ信号は、コネクタＪ１を介して選択制御されたフィルタと５０Ｈｚのフィールド周波数（レート）で動作する振幅補正回路に結合される。フィルタと振幅補正器は、パラボラ信号を増幅器Ｕ１Ａの入力に結合する。
【００１２】
集積回路１００の同期信号発生器１１０は、分離器１０５から得られる分離された水平同期信号に周波数ロックされた除算器１１３からの水平周波数信号に同期化されている。分離器１０５には集積回路１００のスイッチ１０４から選択されたビデオ信号が与えられる。しかし、同期信号発生器１１０および除算器１１３は、ＮＴＳＣ標準方式により決定される除数（分周比）に基づくカウントダウン方法により機能し、従って、複数の同期標準方式の動作を与えるためには、同期化可能な第２の複数標準型の同期信号発生器を使用する必要がある。同期化可能な複数標準型の同期信号発生器Ｕ２の一例として、集積回路ＴＥＡ２１３０型ＩＣが図３に示されている。集積回路１００のスイッチ１０４からの選択されたビデオ信号は、コネクタＪ１を介して、同期信号発生器ＩＣ  Ｕ２のピン１９に接続されているコンデンサＣ１０９に結合される。このビデオ信号は、同期信号分離のために集積回路ＩＣ  Ｕ２の同期信号分離器４５４に結合される。この水平同期信号分離器では、同期パルスを、ピン１８と接地点とのとの間に接続されたコンデンサＣ１１０により決定される同期信号振幅の５０％値で検出するスライス方法を用いている。分離した水平周波数パルスは、第１の制御ループ４５３中で用いられて、集積回路ＩＣ  Ｕ２内の電圧制御発振器４５１の周波数を同期化する。水平周波数の３２倍の共振周波数約５００ＫＨｚを有するセラミック共振器Ｘ１が、発振器４５１の基準として用いられている。この発振器の信号は除算器（ＤＩＶ）４５２によりカウントダウンされ、種々の同期標準方式に適した同期信号を生成する。第１の制御ループ４５３は、集積回路ＩＣ  Ｕ２のピン３と接地点との間に結合されたコンデンサＣ１０８と、抵抗Ｒ１０６とＲ１０７で形成される抵抗分圧器の接続点に生じる正のＤＣ電位点とピン３との間に結合された第２のコンデンサＣ１０７から成る低域フィルタを具備する。水平リトレース（帰線）パルスＲＴは、水平偏向増幅器６００からコネクタＪ１を介して、直列抵抗Ｒ２４と分路接続コンデンサＣ１１７で形成される高周波ロールオフ（ｒｏｌｌ  ｏｆｆ）フィルタに結合される。濾波されたリトレース・パルスは、集積回路ＩＣ  Ｕ２のピン１３に供給され、第２のＰＬＬ（位相ロックループ）４５８に対して水平位相基準を与える。第２のＰＬＬ４５８は単安定マルチバイブレータ（ＭＯＮＯ  ＭＶ）４５９に結合され、単安定マルチバイブレータ４５９はＵ２のピン１１に水平駆動信号ＨＤを発生する。さらに、単安定マルチバイブレータ４５９は、ピン１０と接地点との間に接続されたタイミング（時間調整）コンデンサを有し、１．３Ｖの内部発生の基準電位点に結合されている。この１．３Ｖの基準電位点は、ピン９に接続された抵抗Ｒ１１２を介して接地される。水平駆動信号ＨＤはリトレース・パルスＲＴに位相ロックされており、ポテンシオメータＲ１１６により水平位相に調整することができる。ポテンシオメータＲ１１６のワイパは、直列抵抗Ｒ１１４と分路接続コンデンサＣ１１３とで形成される低域フィルタを介して、Ｕ２のピン１４に結合されている。ポテンシオメータＲ１１６は正のＤＣ電位を生じ、これがＰＬＬ出力信号に加えられて、マルチ���イブレータ４５９に結合される。マルチバイブレータ４５９は水平駆動信号ＨＤを発生する。この水平駆動信号ＨＤは直列接続抵抗Ｒ１１３を介して高周波ロールオフ・キャパシタＣ１１６と抵抗Ｒ１１５との間の接続点に結合される。コンデンサＣ１１６と抵抗Ｒ１１５との間の接続点は、コネクタＪ１を介して本体シャーシの偏向増幅器６００に接続されている。水平駆動信号の発生が停止した時点で、水平駆動信号ＨＤの出力信号は、１２Ｖの予備電源に結合された抵抗Ｒ１１５のプルアップ動作により、或る正の電位を呈する。
【００１３】
電圧制御発振器（ＶＣＯ）の信号はカウンタ４５２によりさらにカウントダウンされ、特定の計数値と計数値との間、即ち特定のフィールド・ライン数とフィールド・ライン数との間で発生する、タイミング・ウィンドウ（窓）またはゲート動作するウィンドウを生成する。このゲート・ウィンドウにより、選択ビデオ信号から垂直同期パルスを分離する際の耐ノイズ性を高めることができる。分離された垂直同期パルスは垂直リセット・パルス（ＶＥＲＴ  ＲＳＴ）発生器４６０により処理され、垂直周波数ランプ波形成コンデンサＣ４、Ｃ５を放電するリセット・パルスを発生する。垂直リセット・パルス発生器４６０のリセット・スイッチ部分は図２に示されるＵ２の部分に示されている。カウンタ４５２により発生するタイミング・ウィンドウは、自動的垂直周波数決定（設定）にも使用される。例えば、タイミングのウィンドウが、ライン計数値２４７〜２７７の間で発生し、分離された垂直同期パルスと共にゲートに結合される。このライン計数値間のウィンドウ内で垂直同期パルスが発生した場合、その垂直同期パルスは６０Ｈｚの周波数を有する約２６２本のラインの期間のフィールドからのものであると判断する。このライン計数値２４７〜２７７の間の垂直同期パルスの繰返し率は６０Ｈｚのフィールド周波数信号として示される。そして、この垂直同期パルスの６０Ｈｚのフィールド周波数信号により５０／６０モード制御論理回路４５６は公称値６Ｖ（ボルト）の出力を生成するように設定される。同様に、ライン計数値２７７〜３６１間に垂直同期パルスが発生した場合は、その垂直同期パルスは５０Ｈｚのフィールド周波数を示す約３１２本のラインの期間のフィールドからのものと判断され、この垂直同期パルスの５０Ｈｚのフィールド周波数信号により５０／６０モード制御論理出力制御信号は公称値１１Ｖに設定される。選択されたビデオ信号が存在しない場合、例えば同調操作中の場合や、送信中断（ブレーク）等の場合は、垂直周波数ゲート論理回路により、５０／６０モード制御論理出力を公称０Ｖに設定し、従って、図２におけるＵ１Ａの垂直周波数パラボラ信号を接地することになる。
【００１４】
垂直周波数ゲート論理回路は、５０Ｈｚまたは６０Ｈｚのいずれかを示すが、同期信号発生器Ｕ２の動作はこれら２つの周波数に限定される訳ではない。例えば、同期信号発生器Ｕ２は、フィールド周波数４８Ｈｚで６５５本のラインを含むビデオ信号と垂直方向および水平方向に同期することができる。
【００１５】
集積回路（ＩＣ）同期信号発生器Ｕ２には、ＶＣＲ（ＶＴＲ）で再生したビデオ信号を検出するための同期パルスノイズ・レベル検出用回路も含まれ、この回路により第１のＶＣＯループ用時定数の自動選択が可能となる。Ｖｃｃ給電電圧の半値に等しい電圧がピン１に出力され、そこからコンデンサＣ１００を介することにより接地点に対し減結合されている。この電圧は抵抗Ｒ１０４を介してピン２０に結合され、ピン２０ではコンデンサＣ１０４により接地点に対して減結合されている。また、この電圧は、抵抗Ｒ１０８を介してピン２に結合され、ピン２においてコンデンサＣ１０５により接地点に対し減結合されている。
【００１６】
集積回路ＩＣ  Ｕ２には、この複数標準型の表示には特に使用されない他の種々の回路が含まれている。
【００１７】
前述のように、スイッチング・モード動作電源６５０は、マイクロコンピュータ２００により処理され、データバス２５０を介して伝送される種々のオン／オフのコマンドに応答して制御される。しかしながら、複数標準型の同期信号発生器Ｕ２による水平駆動信号の発生については、データバス制御による制御手段は存在しない。従って、マイクロコンピュータ２００のオン／オフのコマンドは、制御可能な水平駆動信号ＣＨＤに全般的に類似している複数標準型の水平駆動信号ＨＤをイネーブルする制御手段と同期信号発生器Ｕ２とに伝送されることになる。動作電源に応答するマイクロコンピュータのコマンドの制御を行う為には、制御可能な水平駆動信号ＣＨＤの２つの制御条件をエミュレートしなければならない。
【００１８】
水平駆動信号発生器として動作する、移相器１１６と単安定マルチバイブレータ１１７は、データバスを介して伝送されるオン／オフのコマンドに応答して制御可能な水平駆動信号ＣＨＤを発生する。水平駆動信号ＣＨＤは、コネクタＪ１を介して、図３の本発明に係わる同期信号発生制御回路５００に結合され、さらに、信号ＣＨＤは同期信号発生制御回路５００内において抵抗Ｒ１００を介してトランジスタＱ１００のベースに結合されている。トランジスタＱ１００のエミッタは接地され、そのコレクタは抵抗Ｒ１０１に接続されている。抵抗Ｒ１０１は直列に接続されるコンデンサＣ１００と抵抗Ｒ１０２の接続点にも接続され、そのコンデンサは接地され、その抵抗は１２Ｖの予備電源に接続されている。トランジスタＱ１０１のベースもコンデンサＣ１００と抵抗Ｒ１０２の接続点に接続されている。トランジスタＱ１０１のエミッタは、抵抗Ｒ１０５を介して１２Ｖの予備電源に結合されているツェナーダイオードＤ１００により６．２Ｖの電位に保持されている。抵抗Ｒ１０３、Ｒ１０４は１２Ｖの予備電源とトランジスタＱ１０１のコレクタの間に直列に接続されている。抵抗Ｒ１０３とＲ１０４の接続点はＰＮＰ型トランジスタＱ１０２のベースに接続され、トランジスタＱ１０２のエミッタは１２Ｖの予備電源に接続され、トランジスタＱ１０２のコレクタは集積回路ＩＣ  Ｕ２のＶｃｃ給電ピン５に接続されている。トランジスタＱ１０２のコレクタはコンデンサＣ１０２、Ｃ１０３により接地点に対して減結合されている。
【００１９】
制御可能な水平駆動信号ＣＨＤは、図４（Ａ）に例示されるように非対称なマークースペース比の矩形波形を有している。水平駆動信号ＣＨＤが正の場合は、トランジスタＱ１００が導通し、コンデンサＣ１００と、抵抗Ｒ１０２を介して１２Ｖの予備電源から電流を引き出す。水平駆動信号ＣＨＤが低状態の場合は、トランジスタＱ１００はオフ状態にされ、コンデンサＣ１００が抵抗Ｒ１０２を介して１２Ｖの電源から、充電されるようにする。水平駆動信号ＣＨＤは低レベル期間の方が長い非対称形状なので、正のＤＣ電位Ｖ１００がキャパシタＣ１００の両端間に生じ、この電位がトランジスタＱ１０１のベースに結合される。トランジスタＱ１０１のエミッタは６．２Ｖに保持されているので、電位Ｖ１００が約６．９Ｖを越えると、トランジスタＱ１０１が導通して、抵抗Ｒ１０４、Ｒ１０３を介して１２Ｖの電源から電流を引き出す。抵抗Ｒ１０４とＲ１０３は、ＰＮＰ型トランジスタＱ１０２のベースにその接続点が接続される分圧器を形成している。抵抗Ｒ１０３とＲ１０４を流れる電流により抵抗Ｒ１０４の両端間に電位差が生じ、この電位差により直列パストランジスタＱ１０２が導通して飽和状態となり、複数標準型の同期信号発生器Ｕ２用のＶｃｃ電圧を供給するように１２Ｖの予備電源をＵ２に結合させる。このようにして、１２ＶのＶｃｃ電圧を同期信号発生器Ｕ２に印加すると内部発振器４５１が動作を開始し、前述した種々の信号を発生する。
【００２０】
図４（Ｂ）において、水平駆動信号ＣＨＤ発生器１１７からの水平駆動信号ＣＨＤが時点ｔ１との関係で示されている。時点ｔ１の前の期間は、オン即ち第１の制御条件に対応し、ｔ１の後に続く期間はデータバス伝送されるオフ・コマンドに対応する。オフ・コマンドに応答して、制御可能な水平駆動信号ＣＨＤは約６Ｖの正の電位を呈する。この正のＤＣ値はコネクタＪ１を介して結合され、図４（Ｃ）に示されるように、トランジスタＱ１００を導通させて、コンデンサＣ１００両端間の電位Ｖ１００を放電させる。図４（Ｄ）に示されるように、時間ｔ２の期間においては、電位Ｖ１００は充分減衰してトランジスタＱ１０１をオフ状態とし、直列に接続された抵抗Ｒ１０４、Ｒ１０３内の電流の流れを停止（終了）させる。従って、トランジスタＱ１０１がオフ状態になると、直列パストランジスタＱ１０２もオフ状態となり、これにより同期信号発生器Ｕ２へのＶｃｃ電圧の供給が停止する。
【００２１】
Ｖｃｃ電圧の供給が停止した後、同期信号発生器Ｕ２の動作は、減結合コンデンサＣ１００により約２．７５ｍｓの間維持される。図４（Ｅ）の時点ｔ３において同期信号発生器Ｕ２は動作を停止し、水平駆動出力信号ＨＤは信号ＣＨＤの第２の制御された状態をエミュレートする正の電位を呈する。従って、本発明に係わる同期発生制御回路５００は、データバスのコマンドに応答した信号を非データバス制御可能な複数標準型の同期信号発生器Ｕ２に結合する制御を行う。
【図面の簡単な説明】
【図１】本発明の制御装置を含んでいるテレビジョン受像機の簡単化したブロック図である。
【図２】垂直偏向波形の発生を説明するための電子回路の概念図である。
【図３】本発明の一実施例を示す電子回路の概念図である。
【図４】図１の同期信号発生器制御回路内に生じる各波形を示す。
【符号の説明】
１００    集積回路（ＩＣ）
１１０    同期信号発生器
２００    マイクロコンピュータ
２５０    データバス
４００    モジュール
４５０    同期パルス発生器
５００    同期信号発生制御回路
６００    水平偏向増幅器
６５０    スイッチングモード動作電源
７００    垂直偏向増幅器
【図１】
0003759977.tif 000002
【図２】
0003759977.tif 000003
【図３】
0003759977.tif 000004
【図４】
0003759977.tif 000005